(57)【要約】【課題】容易かつスピーディーに測定して運賃を決めることができる体積測定システムを提供する。【解決手段】体積測定システム１００は、重量測定装置１、深度カメラ２、制御装置３、表示装置４及び出力装置５を備える。重量測定装置１は、計量皿１１を有する。深度カメラ２は、計量皿１１に向けて設置される。制御装置３は、重量測定装置１及び深度カメラ２と信号接続されるとともに、深度カメラ２が撮影した画像に基いて小包Ｓの体積を計算し、重量測定装置１が測定した小包Ｓの重量及び体積に基づいて運賃を決める。表示装置４は、制御装置３と信号接続される。出力装置５は、制御装置３と信号接続され、運賃情報を含む出力結果を出力する。【選択図】図１
0003230773.tif 000002
【実用新案登録請求の範囲】
【請求項１】
重量測定装置、深度カメラ、制御装置、表示装置及び出力装置を備えた、体積測定システムであって、
前記重量測定装置は、計量皿を有し、
前記深度カメラは、前記計量皿に向けて設置され、
前記制御装置は、前記重量測定装置及び前記深度カメラと信号接続されるとともに、前記深度カメラが撮影した画像に基いて小包の体積を計算し、前記重量測定装置が測定した小包の重量及び体積に基づいて運賃を決め、
前記表示装置は、前記制御装置と信号接続され、
前記出力装置は、前記制御装置と信号接続され、運賃情報を含む出力結果を出力することを特徴とする、体積測定システム。
【請求項２】
前記表示装置は、使用者の指示を受けるタッチパネルを有することを特徴とする請求項１に記載の体積測定システム。
【請求項３】
前記出力装置は、前記出力結果を印刷するプリンターを有することを特徴とする請求項１に記載の体積測定システム。
【請求項４】
前記深度カメラに一体化したレンズと、前記制御装置に信号接続された判断部材と、を有するバーコードスキャナーをさらに備えることを特徴とする請求項１に記載の体積測定システム。
【請求項５】
前記制御装置に信号接続されたＰＯＳ（Ｐｏｉｎｔ  Ｏｆ  Ｓａｌｅ）をさらに備えることを特徴とする請求項１に記載の体積測定システム。
【請求項６】
前記深度カメラは、伸縮杆及びレンズを有し、
前記レンズは、前記計量皿に向けて設置され、
前記伸縮杆の一端は、前記レンズに接続され、
前記伸縮杆は、複数の調整孔をそれぞれ有する複数の嵌合杆を含むことを特徴とする請求項１に記載の体積測定システム。
【考案の詳細な説明】
【技術分野】
【０００１】
本考案は、体積測定システムに関し、特に、一体化した自動体積測定システムに関する。
【背景技術】
【０００２】
流通業界では従来から手作業により小包の体積を測定して運賃を決めていた。まず、メジャーにより小包の長さ、幅及び高さを測定してから計算機で小包の全体積を計算し、重量を測定した後、当該小包の体積及び重量から料金表に基づいて運賃を決めていた。しかし、このような一連の作業は、間違いが起きやすい上、時間及び労力も多くかかった。
【考案の概要】
【考案が解決しようとする課題】
【０００３】
そこで、本考案者は、上記課題を解決するための鋭意検討を重ねた結果、かかる知見に基づいて、本考案に想到するに至った。
本考案の課題は、従来の体積測定システムの様々な問題点を解決することができる、体積測定システムを提供することにある。
【課題を解決するための手段】
【０００４】
上記課題を解決するために、本考案の第１の形態によれば、重量測定装置、深度カメラ、制御装置、表示装置及び出力装置を備えた、体積測定システムであって、前記重量測定装置は、計量皿を有し、前記深度カメラは、前記計量皿に向けて設置され、前記制御装置は、前記重量測定装置及び前記深度カメラと信号接続されるとともに、前記深度カメラが撮影した画像に基いて小包の体積を計算し、前記重量測定装置が測定した小包の重量及び体積に基づいて運賃を決め、前記表示装置は、前記制御装置と信号接続され、前記出力装置は、前記制御装置と信号接続され、運賃情報を含む出力結果を出力することを特徴とする、体積測定システムを提供する。
【０００５】
前記表示装置は、使用者の指示を受けるタッチパネルを有することが好ましい。
【０００６】
前記出力装置は、前記出力結果を印刷するプリンターを有することが好ましい。
【０００７】
前記深度カメラに一体化したレンズと、前記制御装置に信号接続された判断部材と、を有するバーコードスキャナーをさらに備えることが好ましい。
【０００８】
前記制御装置に信号接続されたＰＯＳ（Ｐｏｉｎｔ  Ｏｆ  Ｓａｌｅ）をさらに備えることが好ましい。
【０００９】
前記深度カメラは、伸縮杆及びレンズを有し、前記レンズは、前記計量皿に向けて設置され、前記伸縮杆の一端は、前記レンズに接続され、前記伸縮杆は、複数の調整孔をそれぞれ有する複数の嵌合杆を含むことが好ましい。
【考案の効果】
【００１０】
本考案の体積測定システムは、物流に関連した各種周辺機器と一体化され、容易かつスピーディーに測定して運賃を決めることにより、従来、時間がかかって効率が悪かった手作業による方式を改善し、不注意により間違いが起きることを防ぎ、毎年のように上昇している人的コストを減らすこともできる。
【図面の簡単な説明】
【００１１】
【図１】本考案の一実施形態に係る体積測定システムを示す斜視図である。
【図２】本考案の一実施形態に係る体積測定システムの深度カメラを示す斜視図である。
【図３】本考案の一実施形態に係る体積測定システムの深度カメラを示す斜視図である。
【考案を実施するための形態】
【００１２】
以下、本考案の目的、特徴及び効果をより分かりやすくするために、具体的な実施形態について図に基づいて詳しく説明する。
【００１３】
図１を参照する。図１に示すように、本考案の一実施形態に係る体積測定システム１００は、少なくとも重量測定装置１、深度カメラ２、制御装置３、表示装置４及び出力装置５から構成されてなる。
【００１４】
重量測定装置１は、小包Ｓの重量を測定する計量皿１１を有する電子はかりでもよい。
【００１５】
深度カメラ２は、計量皿１１に向けて設置され、小包Ｓの立体画像を撮影するレンズ２１を有する。
【００１６】
制御装置３は、重量測定装置１及び深度カメラ２と信号接続される。制御装置３は、制御回路又は制御チップでもよい。レンズ２１により撮影した画像の電子信号は、物理的ケーブル（例えば、深度カメラ２の伸縮杆２２中に埋設されている）を介して信号が制御装置３に伝送されてもよいし、無線信号送信装置（例えば、Ｂｌｕｅｔｏｏｔｈ（登録商標）その他の無線送信装置）により、撮影した画像の電子信号を制御装置３へ伝送してもよい。
【００１７】
制御装置３は、深度カメラ２が撮影した画像に基いて小包Ｓの体積を計算し、小包Ｓが立方体、円柱体又は不規則形状であるか判断する。制御装置３は、重量測定装置１が測定した小包Ｓの重量及び体積に基づいて運賃を決める。例えば、運賃基準には、重量に基づく運賃基準と、体積に基づく運賃基準とがあり、制御装置３は、上述した２種類又はそれよりも多い種類の基準に基づいて運賃を決める。
【００１８】
表示装置４は、小包Ｓの関連情報を表示する制御装置３と信号接続され、例えば、小包Ｓの現在の重量、体積及び測定の運賃を表示する。表示装置４は、使用者の指示を受けるタッチパネル４１を含んでもよい。例えば、使用者はタッチパネル４１を使用して配送の目的地を入力したり、配送会社を選択したり、小包Ｓのクラウド番号を入力したりすることができる。
【００１９】
出力装置５は、制御装置３と信号接続される。出力装置５は、運賃情報を含む出力結果を出力する。出力装置５は、出力結果を印刷するプリンターでもよい。例えば、出力装置５は、小包Ｓに貼り付ける小包Ｓのラベル又はバーコードを印刷する１台のラベルプリンター又はバーコードプリンターでもよい。出力装置５は、使用者の支払い用紙、領収書又は窓口の番号札を印刷する１台のプリンターでもよいが、物理的なプリンターのみに限定されるわけではなく、その他の形式でもよく、例えば、クラウド通知又は電子メールを使用者に伝送し、今回操作した体積測定システムの出力結果を報告してもよい。
【００２０】
このように、本考案の体積測定システム１００は、物流に関連した各種周辺機器と一体化され、容易かつスピーディーに測定して運賃を決めることにより、従来、時間がかかって効率が悪かった手作業による方式を改善し、不注意により間違いが起きることを防ぎ、
毎年のように上昇している人的コストを減らすこともできる。
【００２１】
また、図１に示すように、本実施形態の体積測定システム１００は、小包Ｓ上のバーコードをスキャンして小包Ｓに関する情報（例えば、配送目的地、差出人、受取人などのデータ）を読取るバーコードスキャナーをさらに含んでもよい。バーコードスキャナーのレンズには、深度カメラ２が組み合わされる（即ち、同じレンズ２１を共用する）。バーコードスキャナーの判断部材３１は、制御装置３に信号接続されるか、制御装置３中に一体化されてもよい。しかし、本考案はこれだけに限定されず、他の実施形態では、バーコードスキャナーは、制御装置３に信号接続された独立した機構でもよい。
【００２２】
図１を参照する。図１に示すように、本実施形態の体積測定システム１００は、制御装置３に信号接続されたＰＯＳ（Ｐｏｉｎｔ  Ｏｆ  Ｓａｌｅ）６をさらに含んでもよい。ＰＯＳ６は、使用者が支払いを行うキャッシュフローシステムに接続されてもよい。例えば、ＰＯＳ６は、クレジットカード決済、現金決済その他電子決済を受け付けてもよい。
【００２３】
図２及び図３を参照する。図２及び図３に示すように、本実施形態の深度カメラ２は、伸縮杆２２及びレンズ２１を含む。レンズ２１は、計量皿１１に向けて設置され、伸縮杆２２の一端はレンズ２１に接続される。伸縮杆２２は、複数の調整孔２０をそれぞれ有する複数の嵌合杆２２１，２２２，２２３を含む。嵌合杆２２３は、嵌合杆２２２中に嵌合され、嵌合杆２２２は、嵌合杆２２１中に嵌合される。伸縮杆２２は、各スリーブの延伸及び嵌合、ならびに調整孔２０とピン（図示せず）との組合せにより、伸縮杆２２の長さを調整してレンズ２１を最適な撮影位置に調整してもよい。しかし、本考案はこれだけに限定されず、伸縮杆２２は、その他のタイプの高さを調整することが可能な機構でもよい。
【００２４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２５】
１  重量測定装置
２  深度カメラ
３  制御装置
４  表示装置
５  出力装置
６  ＰＯＳ
１１  計量皿
２０  調整孔
２１  レンズ
２２  伸縮杆
３１  判断部材
４１  タッチパネル
１００  体積測定システム
２２１  嵌合杆
２２２  嵌合杆
２２３  嵌合杆
Ｓ  小包
【図１】
0003230773.tif 000003
【図２】
0003230773.tif 000004
【図３】
0003230773.tif 000005